(57)【特許請求の範囲】
【請求項１】
記録媒体に記録された画像データを他の画像装置へと送信する通信部と、
上記通信部による画像データ送信動作の状況を表示部に表示させる表示制御部と、
を備え、
上記表示制御部は、送信される画像データをその送信後にも上記記録媒体に保存しておく場合には、上記記録媒体に保存しておく画像データを示す画像と送信される画像データを示す画像との二つの画像を、上記通信部による画像データ送信の進行に合わせて、それぞれが異なる形態で表示させるよう制御することを特徴とする画像装置。
【請求項２】
上記表示制御部は、送信される画像データを示す画像については、上記画像データ送信の進行に合わせて上記表示部における表示領域が次第に小さくなるように表示させる制御をおこなうことを特徴とする請求項１に記載の画像装置。
【請求項３】
上記表示制御部は、上記記録媒体に保存しておく画像データを示す画像については、上記画像データ送信の進行に関わらず一定の形態で表示させる制御をおこなうことを特徴とする請求項１または請求項２のいずれか一項に記載の画像装置。
【請求項４】
上記表示制御部は、送信される画像データをその送信後に上記記録媒体に保存しない場合には、送信される画像データを示す画像だけを表示させる制御をおこなうことを特徴とする請求項１〜請求項３のうちのいずれか一項に記載の画像装置。
【請求項５】
上記通信部は、当該画像装置の側面に設置された送信用窓を有しており、
上記表示制御部は、上記２つの画像のそれぞれを上記表示部の表示画面を左右２つに分けた領域に各表示させ、送信される画像データを示す画像を、上記送信用窓の設置されている側に表示させることを特徴とする請求項２に記載の画像装置。
【請求項６】
上記通信部は、当該画像装置の側面に設置された送信用窓を有しており、
上記表示制御部は、送信される画像データを示す画像を画面の中央から上記送信用窓の設置されている側に向けて退場していくように表示させる制御をおこなうことを特徴とする請求項２に記載の画像装置。
【請求項７】
請求項１〜請求項６のうちのいずれか一項に記載の画像装置を含んで構成され、
かつ、上記通信部は、撮影によって取得した画像データを他の画像装置へ送信することを特徴とするカメラ。
【請求項８】
上記通信部は、さらに他の画像装置から送信される画像データを受信することを可能とし、
上記表示制御部は、当該画像装置自身が受信モード以外の動作モードに設定されているときに他の画像装置からの受信要求に応じて受信モードに切り換えられた場合には、動作モードの切り換わる直前に設定されていた動作モードにおいて表示中であった画像と共に、画像データ受信の進行に合わせて受信画像を表示させることを特徴とする請求項１〜請求項４のうちのいずれか一項に記載の画像装置。
【請求項９】
請求項７に記載のカメラであって、
上記表示制御部は、受信モードでの動作中は、直前のカメラ動作モードが撮影モードであった場合にはモニタ画像と共に受信画像を表示させ、直前のカメラ動作モードが再生モードであった場合には再生画像とともに受信画像を表示させる制御をおこなうことを特徴とするカメラ。
【請求項１０】
カメラの動作モードを制御するカメラ制御部を、さらに備え、
上記カメラ制御部は、画像データ受信の終了後には、カメラの動作モードを画像データ受信モードに切り換わる直前に設定されていた動作モードに戻す制御をおこなうことを特徴とする請求項９に記載のカメラ。
【請求項１１】
記録媒体に記録された画像データを他の画像装置に送信する際の画像データ送信の状況を表示部に表示させる表示制御方法において、
送信される画像データをその送信後にも上記記録媒体に保存しておく場合には、上記記録媒体に保存しておく画像データを示す画像と送信される画像データを示す画像との二つの画像を、上記通信部による画像データ送信の進行に合わせて、それぞれが異なる形態で表示させるよう制御することを特徴とする画像表示制御方法。
【請求項１２】
記録媒体に記録された画像データを他の画像装置に送信する際の画像データ送信の状況を表示部に表示させる手順をコンピュータに実行させるプログラムであって、
送信される画像データをその送信後にも上記記録媒体に保存しておく場合には、上記記録媒体に保存しておく画像データを示す画像と送信される画像データを示す画像との二つの画像を、上記通信部による画像データ送信の進行に合わせて、それぞれが異なる形態で表示させる手順をコンピュータに実行させるための画像表示制御プログラム。
【請求項１３】
さらに、送信された画像データをその送信後に上記記録媒体に保存しない場合には、送信された画像データを示す画像だけを表示させる手順をコンピュータに実行させることを特徴とする請求項１２に記載の画像表示制御プログラム。
【請求項１４】
記録媒体に記録された画像データを他の画像装置に送信する際の画像データ送信の状況を表示部に表示する表示制御方法をコンピュータに実行させるプログラムを記録したコンピュータ読み取り可能な記録媒体において、
送信される画像データをその送信後にも上記記録媒体に保存しておく場合には、上記記録媒体に保存しておく画像データを示す画像と送信される画像データを示す画像との二つの画像を、上記通信部による画像データ送信の進行に合わせて、それぞれが異なる形態で表示させる画像表示制御プログラムが記録されていることを特徴とするコンピュータ読み取り可能な記録媒体。
【発明の詳細な説明】
【技術分野】
【０００１】
この発明は、画像装置，カメラ，画像表示制御方法，画像表示制御プログラム，記録媒体、詳しくは他の画像装置との間で画像データの送受信をおこなう機能を有する画像装置と、この画像装置を含めて構成されるカメラと、当該画像装置の表示を制御する画像表示制御方法と、この表示制御方法をコンピュータに実行させる画像表示制御プログラムと、本画像装置の内部に設けられ画像データ等を所定の記録形式で記録する記録媒体と関するものである。
【背景技術】
【０００２】
近年、撮影レンズを介して入射した被写体からの光束に基いて結像される光像を撮像素子により光電変換し電子的なデジタル画像データを生成し、この画像データを半導体メモリ等の記録媒体に記録し得ると共に、記録媒体に記録された画像データを読み込んで表示装置の表示部に画像として再生表示し得る画像装置を有して構成されたデジタルカメラが実用化され広く普及している。
【０００３】
このようなデジタルカメラによって取得され記録媒体に記録された画像データは、これを取得したデジタルカメラ自身だけではなく、同様の画像データを扱うことのできる他の画像装置や画像データ処理装置等の外部機器においても利用することができるようになっており、当該画像データを単に表示させるのみに留まらず、それらの画像データは、各種の用途に利用されている。
【０００４】
従来のデジタルカメラや画像装置等において、記録媒体に記録された画像データを他の画像装置等の外部機器へと伝送するための技術としては、例えば赤外線等や電磁波等を利用した無線通信等による高性能なデータ通信技術がある。
【０００５】
このうち、例えば赤外線通信利用の光無線通信手段においては、従来一般に普及しているＩｒＤＡ  ＤＡＴＡ（アイアールディーエーデータ；Infrared Data Association DATA）規格等に加えて、ＩｒＳｉｍｐｌｅ（アイアールシンプル）規格と呼ばれる新たな規格等が登場している。
【０００６】
また、電磁波利用の無線通信手段では、Ｂｌｕｅｔｏｏｔｈ（ブルートゥース）規格や、無線ＬＡＮの規格の１つであるＷｉＨｉ規格等、各種さまざまな規格に基づくデータ通信を利用することができる環境を、個人レベルで容易に整えることができるようになっている。これに伴って、例えばデジタルカメラやプリンタ，小型コンピュータ（ＰＣ），データ保存用ストレージ装置，携帯電話等の画像データを扱う各種の機器同士の間で上記各種の規格に基づく画像データ通信に関するさまざまな関連技術についての提案が従来種々おこなわれている。
【０００７】
例えば、画像データの送受信をおこなうのに際しては、通常の場合、送受信時に取り扱う画像データのサイズや通信規格にもよるが、数秒から数十秒の時間を要するのは普通である。
【０００８】
そこで、画像データ通信をおこなう従来の画像装置においては、その通信動作の実行中に、実行中の処理の経過等に関する何らかの表示を表示部に表示させる等の工夫をおこなって、データ通信の実行中の画像データについての情報や通信経過等を操作者に知らせるための手段が提案されている。
【０００９】
具体的には、例えば特開２００７−２４１６７９号公報によって開示されている画像装置は、送信側の装置と受信側の装置とのそれぞれの装置において、送信中の画像と受信中の画像とを確認し得るようにしている。これに加えて、さらにデータ通信の経過に合わせて、表示部において通信中の画像がアニメーション的に表示されるようにしている。
【特許文献１】特開２００７−２４１６７９号公報
【発明の開示】
【発明が解決しようとする課題】
【００１０】
ところで、画像データ通信をおこなう画像装置においては、送信済みの画像データを送信側の記録媒体に残しておく場合と残さない場合とが考えられる。例えば、デジタルカメラからデータ保存用の小型コンピュータ等の画像装置へと画像データを送信する場合を考えると、デジタルカメラの記録媒体の空き容量を確保して次の撮影（画像データ取得）動作に備えるという目的がある。つまり、この場合には、デジタルカメラ側の記憶媒体には送信済み画像データを残しておく必要はない。したがって、デジタルカメラ側の記録媒体に記録された画像データを他の画像装置へと送信した後には、デジタルカメラ側の記録媒体の送信済み画像データは自動的に消去されるようになっていると至便である。
【００１１】
一方、デジタルカメラ側の記録媒体に記録された画像データを印刷用プリンタに送信し、プリント出力をおこなう場合を考えると、デジタルカメラ側の記録媒体の送信済み画像データは残しておくようにするのが普通である。
【００１２】
このことから、データ通信をおこなう際の送信装置側の設定として、送信済み画像データの扱いについて、送信後残しておく（保存する）かまたは消去するかを選択する設定をおこない得るようにする方法が考えられる。この場合には、送信装置側の設定、即ち送信後残しておく（保存する）か消去するかの条件設定を、予め確実に設定しておくことが必要である。
【００１３】
しかしながら、このような条件設定は、例えばメニュー設定画面等によって予め選択設定しておくといった方法が採られるのが普通である。したがって、その装置において予め設定されている各種の設定は、操作者が常に把握しているとは限らない。
【００１４】
そこで、データ通信の実行中において、送信中の画像データの取り扱いについて現在設定されている条件設定がどのようになっているか、即ち送信後の画像データを残しておく（保存する）設定になっているか若しくは消去するかいずれに設定されているか等の条件が表示部に表示されるようになっておれば、操作者にとってはより便利であると考えられる。
【００１５】
本発明は、上述した点に鑑みてなされたものであって、その目的とするところは、画像データ通信をおこなう画像装置において、送信済みの画像データを送信側の記録媒体に残しておく（保存する）か若しくは消去するか等の設定をデータ通信の実行中に表示部に明確に表示させ、良好な操作性を備えた画像装置，カメラ，画像表示制御方法，画像表示制御プログラム，記録媒体を提供することである。
【課題を解決するための手段】
【００１６】
上記目的を達成するために、本発明による画像装置は、記録媒体に記録された画像データを他の画像装置へと送信する通信部と、上記通信部による画像データ送信の状況を表示部に表示する表示制御部と、を備え、上記表示制御部は、送信される画像データの送信後も上記記録媒体に保存する場合には、上記記録媒体に保存される画像データを示す画像と送信される画像データに基づく画像を示す画像との二つの画像を、上記通信部による画像データ送信の進行に合わせて異なる形態で表示することを特徴とする。
【００１７】
本発明によるカメラは、上記画像装置を含んで構成され、かつ、上記通信部は撮影によって取得した画像データを他の画像装置へ送信することを特徴とする。
【００１８】
本発明による画像表示制御方法は、記録媒体に記録された画像データを他の画像装置に送信する際の画像データ送信の状況を表示部に表示させる表示制御方法において、送信される画像データをその送信後にも上記記録媒体に保存しておく場合には、上記記録媒体に保存しておく画像データを示す画像と送信される画像データを示す画像との二つの画像を、上記通信部による画像データ送信の進行に合わせて、それぞれが異なる形態で表示させるよう制御することを特徴とする。
【００１９】
本発明による画像表示制御プログラムは、記録媒体に記録された画像データを他の画像装置に送信する際の画像データ送信の状況を表示部に表示させる手順をコンピュータに実行させるプログラムであって、送信される画像データをその送信後にも上記記録媒体に保存しておく場合には、上記記録媒体に保存しておく画像データを示す画像と送信される画像データを示す画像との二つの画像を、上記通信部による画像データ送信の進行に合わせて、それぞれが異なる形態で表示させる手順をコンピュータに実行させることを特徴とする。
【００２０】
本発明による記録媒体は、記録媒体に記録された画像データを他の画像装置に送信する際の画像データ送信の状況を表示部に表示する表示制御方法をコンピュータに実行させるプログラムを記録したコンピュータ読み取り可能な記録媒体において、送信される画像データをその送信後にも上記記録媒体に保存しておく場合には、上記記録媒体に保存しておく画像データを示す画像と送信される画像データを示す画像との二つの画像を、上記通信部による画像データ送信の進行に合わせて、それぞれが異なる形態で表示させる画像表示制御プログラムが記録されていることを特徴とする。
【発明の効果】
【００２１】
本発明によれば、画像データ通信をおこなう画像装置において、送信済みの画像データを送信側の記録媒体に残しておく（保存する）か若しくは消去するか等の設定をデータ通信の実行中に表示部に明確に表示させ、良好な操作性を備えた画像装置，カメラ，画像表示制御方法，画像表示制御プログラム，記録媒体を提供することができる。
【発明を実施するための最良の形態】
【００２２】
以下、図示の実施の形態によって本発明を説明する。
【００２３】
以下に説明する本発明の一実施形態は、光学レンズ等によって被写体の光像を結像させる撮影光学系を有し、この撮影光学系を介して入射した被写体からの光束により結像される被写体の光像を撮像素子にて受光し、この撮像素子が光電変換処理をおこなうことにより電子的な画像データを取得すると同時に、画像撮影時点の設定情報や撮影画像の関連情報等を取得して、これら画像データ及び画像関連情報のデータを一つのデジタル画像データとして記録媒体に記録し得る画像撮影装置と、記録媒体に記録された画像データを読み込んで必要な各種信号処理を施した後、生成された画像信号に基づく画像を表示部を用いて再生表示し得る表示部及び他の外部装置との間で画像データ通信をおこなう通信部を有する画像装置とが一体に構成されるデジタルカメラに対して、本発明を適用した場合の例である。
【００２４】
まず、本実施形態の画像装置を備えたデジタルカメラの内部構成の概略を、図１を用いて以下に説明する。
【００２５】
図１は、本発明の一実施形態の画像装置を備えたデジタルカメラの内部構成の概略を示すブロック構成図である。図２は、図１のデジタルカメラ同士の間で画像データ通信をおこなう際の様子を示す概念図である。図３，図４は、図１のデジタルカメラ同士で画像データ通信をおこなう際の動作の流れを示すフローチャートである。このうち図３は送信側のデジタルカメラにおける送信処理のフローチャートである。図４は受信側のデジタルカメラにおける受信処理のフローチャートである。
【００２６】
本デジタルカメラ１は、図１に示すように、カメラ制御部１０と、ＲＯＭ１１と、操作ＳＷ部１２と、撮像部１３と、光学系制御部１４と、ＲＡＭ１５と、画像処理部１６と、記録再生部１７と、記録部１８と、表示制御部１９と、表示部２０と、通信部２１と、バスライン２２と等によって主に構成されている。
【００２７】
カメラ制御部１０は、プログラムに基づいて本デジタルカメラ１の全体を統括的に制御するものである。カメラ制御部１０には、ＲＯＭ１１，操作ＳＷ部１２，光学系制御部１４等が接続されている。
【００２８】
ＲＯＭ１１は、不揮発性メモリ等からなり、カメラ制御部１０を制御するための制御用プログラムや画面表示動作時に使用される各テキストデータ等を格納している。
【００２９】
操作ＳＷ部１２は、操作者による操作指示を検出してカメラ制御部１０に通知する回路部である。
【００３０】
光学系制御部１４は、操作者のズーム操作に応じて撮像部１３の内部のズームアクチュエータ等を駆動してズーム倍率を設定する制御をおこなったり、画像のコントラスト信号から検出された合焦位置にフォーカスレンズを移動させる制御をおこなう。また、光学系制御部１４は、画像の輝度信号に基づいて撮像部１３の内部に含まれる絞り機構やシャッター機構を制御する。
【００３１】
撮像部１３は、ズームレンズ，フォーカスレンズや絞り機構，シャッター機構等を含む光学部と、被写体像を光電変換する撮像素子やこの撮像素子から出力された電気信号を処理して画像データを出力する撮像処理部及びＡＤ変換部等を有してなり、光電変換された画像データを出力する。
【００３２】
ＲＡＭ１５は、撮像部１３から出力された画像データを一時的に格納するとともに、以降の各デジタル処理のためのワークエリアとなる一時メモリである。
【００３３】
画像処理部１６は、撮像部１３から出力されＲＡＭ１５に一時的に格納された画像データについて、色処理やガンマ処理等の各種画像処理を施す回路部である。また、画像処理部１６は、圧縮伸長部を備えており、撮影動作時には撮像部１３，ＲＡＭ１５，画像処理部１６を経て画像処理された画像データを圧縮処理（例えばＪＰＥＧ形式のデータ圧縮処理）をおこなう一方、再生動作時には記録媒体に圧縮された形態で記録されている画像データを記録再生部１７を介して読み込んでこれを伸長処理する回路部である。
【００３４】
記録再生部１７は、撮影動作時には画像処理部１６で圧縮された画像データを記録部１８に記録する一方、再生動作時には圧縮された形態で記録部１８に記録されている所定の画像データを読み出して画像処理部１６へと引き渡す処理をおこなう回路部である。
【００３５】
記録部１８は、例えばフラッシュメモリやハードディスク等の記録媒体を含んで構成されている。撮影動作時には、記録再生部１７の作用により画像データ等が記録されるようになっている。
【００３６】
表示制御部１９は、表示部２０に表示する画像を制御する回路部である。
【００３７】
表示部２０は、例えばＬＣＤ等からなり、表示制御部１９から出力された画像データに基いて表される画像を表示するものである。この表示制御部１９は、撮影動作時には、画像処理部１６にて生成され表示に適する形態の画像処理が施されたモニタ画像を表示部２０に連続的に表示する制御をおこなうようになっている。また、表示制御部１９は、再生動作時には、記録部１８から読み出され画像処理部１６で伸長処理された画像データに基づく画像を表示するものである。
【００３８】
また、表示制御部１９は、動作モードに応じて画像データにより表示されるべき画像に対して縮小処理やトリミング処理，回転処理等を施したり、画像にテキストを付加する制御処理をおこなうものである。
【００３９】
そして、表示制御部１９は、通信モード時には、送信画像あるいは受信画像について、対応する関連情報、即ち処理の条件や経過に応じた表示等をおこなうものである。つまり、表示制御部１９は、通信部２１による画像データ送信時や同受信動作時の状況を表示部２０に表示する表示制御等をおこなう。
【００４０】
なお、表示制御部１９についての詳細な構成及びこれによる作用は後述する。
【００４１】
通信部２１は、本デジタルカメラ１と外部機器との間で、画像データや音楽データ等の送受信動作を実行するための構成部であって、本デジタルカメラ１の記録部１８の記録媒体に記録されている画像データ等を他の画像装置等の外部機器へと送信したり、他の外部装置等の外部機器の記録媒体に記録されている画像データ等を受信するインターフェースである。この通信部２１は、有線によって外部通信をおこなう有線機能と、無線を用いて外部通信をおこなう無線機能との両方の通信手段を備えてなるものである。
【００４２】
ここで、無線通信機能を実現する方法としては、例えば赤外線通信やブルートゥース通信及び無線ＬＡＮ通信等のうちのいずれか一つあるいは複数の機能を有して本デジタルカメラ１における通信部２１を構成するようにすればよい。なお、本実施形態のデジタルカメラ１は、後述するように赤外線を用いた画像データ通信をおこない得る機能を有するものとしている。
【００４３】
そして、上述の各構成部材は、バスライン２２によって相互に電気的に接続されている。
【００４４】
このように構成された本実施形態のデジタルカメラを例えば二台用意したとすると、この二台のデジタルカメラ同士の間においては、両者にそれぞれ設けられる通信部２１を介して画像データ通信をおこなうことができるようになる。
【００４５】
ここで、例えば、図２に示すように、二台のデジタルカメラ１を用いて画像データ通信をおこなうのに際し、送信側のデジタルカメラを符号１Ｔで示し、受信側のデジタルカメラを符号１Ｒで示すものとする（以下の説明において同様に扱うものとする）。図２に示す概念図では、二台のデジタルカメラ１Ｔ，１Ｒ間で赤外線を用いた画像データ通信をおこなっている様子を示している。
【００４６】
デジタルカメラ１Ｔ，１Ｒの背面側には、表示部２０の表示画面２０ａと、操作ＳＷ部１２に連動する各種の操作部材１２ａ，１２ｂが配設されている。
【００４７】
また、デジタルカメラ１Ｔ，１Ｒの上面には、操作ＳＷ部１２に連動して撮影動作時には自動露出動作及び自動焦点調節動作等の撮影準備動作や、シャッターリリース動作等の撮影開始動作を指示する操作部材として機能する一方、画像データ通信動作時には、送信側において送信開始を指示する操作部材として機能する。
【００４８】
そして、デジタルカメラ１Ｔ，１Ｒの一側面には、赤外線通信をおこなうための通信部２１の送受光窓２１ａが配設されている。
【００４９】
デジタルカメラ１Ｔ，１Ｒ同士において、画像データ通信をおこなう際には、デジタルカメラ１Ｔとデジタルカメラ１Ｒのそれぞれの通信部２１の送受光窓２１ａを対抗させた状態とする。図２において、符号Ａは画像データ通信が無線（赤外線）にておこなわれていることを示している。
【００５０】
この画像データ通信の実行中には、送信側のデジタルカメラ１Ｔの表示部２０の表示画面２０ａには、画像データ送信中であることを表す何らかの表示がなされる。一方、受信側のデジタルカメラ１Ｒの表示部２０の表示画面２０ａには画像データ受信中であることを表す何らかの表示がなされる。なお、図２では表示画面２０ａにおける表示状態の図示は省略しているが、画像データ通信中における表示画面２０ａの表示例は、図５〜図８等を用いて後に詳述する。
【００５１】
送信側のデジタルカメラ１Ｔにおいて送信処理の処理シーケンスが開始されると、図３に示すように、まず、ステップＴ１１において、カメラ制御部１０Ｔは、送信条件の設定、即ち「保存送信」モードあるいは「非保存送信」モードのいずれかが操作者によって設定されているか否かの確認をおこなう。ここで、「保存送信」モードとは、画像データ送信処理の終了後に送信側のデジタルカメラ１Ｔの記録媒体における送信済みの画像データを残すように制御する設定である。また、「非保存送信」モードとは、画像データ送信処理の終了後に送信側のデジタルカメラ１Ｔの記録媒体における送信済みの画像データを消去するように制御する設定である。操作者は、操作ＳＷ部１２に連動する所定の操作部材を用いて、所望の送信条件を「保存送信」モードあるいは「非保存送信」モードのいずれかから選択指示する。
【００５２】
なお、図５，図６は、本実施形態のデジタルカメラによる画像データ通信中において送信側のデジタルカメラの表示画面の変化を時間順に並べた表示例を示す図であって、図５は送信条件が「保存送信」モード時の表示例を示し、図６は送信条件が「非保存送信」モード時の表示例を示している。また、図７，図８は、本実施形態のデジタルカメラによる画像データ通信中において受信側のデジタルカメラの表示画面の変化の表示例を示す図であって、図７は通常受信時の表示例を示し、図８は割込受信時の表示例を示している。
【００５３】
次に、本実施形態のデジタルカメラを用いて、画像データ通信をおこなう際の作用を図３，図４のフローチャートを用いて以下に説明する。
【００５４】
なお、上述したように、図３は送信側のデジタルカメラ１Ｔにおける送信処理のフローチャートを、図４は受信側のデジタルカメラ１Ｒにおける受信処理のフローチャートを、それぞれ示している。本実施形態のデジタルカメラ１においては、これらの制御処理は、主にカメラ制御部１０と表示制御部１９と通信部２１とにより実行されるようになっている。
【００５５】
まず、デジタルカメラ１Ｔ，１Ｒが電源オフ状態にあるとき、使用者によって当該デジタルカメラ１Ｔ，１Ｒの操作部材のうち電源スイッチのオン操作がなされると、操作ＳＷ部１２より電源オン信号が生じ、同信号はカメラ制御部１０へと出力される。これを受けてデジタルカメラ１Ｔ，１Ｒは、カメラ制御部１０の制御下で内部回路が電源オン状態となる。これにより、デジタルカメラ１Ｔ，１Ｒは撮影動作をおこない得る撮影モード状態で起動して撮影待機状態となる。
【００５６】
次いで、使用者によってデジタルカメラ１Ｔ，１Ｒの操作部材のうち動作モード切換スイッチが操作されると操作ＳＷ部１２より所定の動作モード切換信号が生じ、同信号はカメラ制御部１０へと出力される。これを受けてカメラ制御部１０は、デジタルカメラ１Ｔ，１Ｒの動作モードを現在設定されている撮影モードから再生モードへと切り換える処理をおこなう。これにより、デジタルカメラ１Ｔ，１Ｒは画像の再生表示動作をおこない得る再生モードで動作する状態に切り換わる。
【００５７】
なお、上述の説明では、電源スイッチのオン操作と、動作モード切換スイッチの再生モードへの切換操作の二つの操作によって、デジタルカメラ１Ｔ，１Ｒを再生モード状態にする方法を示しているが、これとは別に、次に示す操作によっても、デジタルカメラ１Ｔ，１Ｒを再生モード状態にすることが可能である。
【００５８】
即ち、デジタルカメラ１Ｔ，１Ｒが電源オフ状態にあるとき、使用者によってデジタルカメラ１Ｔ．１Ｒの操作部材のうち再生モード起動ボタンのオン操作がなされると操作ＳＷ部１２より再生モード起動信号が生じ、同信号はカメラ制御部１０へと出力される。これを受けてデジタルカメラ１Ｔ，１Ｒは、カメラ制御部１０の制御下で内部回路が電源オン状態となると同時に再生モードで起動する。
【００５９】
このようにして、デジタルカメラ１Ｔ，１Ｒが共に再生モードで動作している状態にした後、この状態において、まず、送信側のデジタルカメラ１Ｔでは、例えばメニュー画面から画像データ通信を実行させるための項目（送信モード設定等）が操作者により選択されたり、操作者により所定の操作ボタンが操作されることにより、画像データ通信における送信動作処理を開始させる旨の指示信号が発生する。これにより、デジタルカメラ１Ｔは、画像データ送信処理を開始する（スタート）。
【００６０】
また、データ通信を開始する前の段階において、受信側のデジタルカメラ１Ｒの動作モードは、撮影モードであっても再生モードであってもよく、いずれかの動作モードで起動している状態にあればよい。
【００６１】
なお、以下の説明において、送信側のデジタルカメラ１Ｔの構成部材に対しては、上述の説明で付した符号に対してＴを付し、受信側のデジタルカメラ１Ｒの構成部材に対しては、上述の説明で付した符号に対してＲを付して区別するものとする。具体的には、例えば送信側のデジタルカメラ１Ｔのカメラ制御部を符号１０Ｔで示し、受信側のデジタルカメラ１Ｒのカメラ制御部を符号１０Ｒで示すことで両者を区別する。
【００６２】
送信側のデジタルカメラ１Ｔにおいて送信処理の処理シーケンスが開始されると、図３に示すように、まず、ステップＴ１１において、カメラ制御部１０Ｔは、送信条件の設定、即ち「保存送信」モードあるいは「非保存送信」モードのいずれかが操作者によって設定されているか否かの確認をおこなう。ここで、「保存送信」モードとは、画像データ送信処理の終了後に送信側のデジタルカメラ１Ｔの記録媒体における送信済みの画像データを残すように制御する設定である。「保存送信」モードは、例えばデジタルカメラ１側の記録媒体に記録された画像データを印刷用プリンタに対してプリント用画像データを送信するような場合に主に用いられるモードである。
【００６３】
また、「非保存送信」モードとは、画像データ送信処理の終了後に送信側のデジタルカメラ１Ｔの記録媒体における送信済みの画像データを消去するように制御する設定である。「非保存送信」モードは、デジタルカメラ１側の記録媒体の空き容量を確保するために、デジタルカメラ側から小型コンピュータやストレージ装置等に対して画像データを送信するような場合に実行されるモードである。
【００６４】
なお、デジタルカメラ同士の間で画像データ通信がおこなわれる場合には、操作者の任意によっていずれかのモードが選択されることになる。操作者は、操作ＳＷ部１２に連動する所定の操作部材を用いて、「保存送信」モードと「非保存送信」モードとのいずれかを選択設定する。
【００６５】
送信側のデジタルカメラ１Ｔにおいて送信処理の処理シーケンスが開始されると、図３に示すように、まず、ステップＴ１１において、カメラ制御部１０Ｔは、送信条件の設定、即ち「保存送信」モードあるいは「非保存送信」モードのいずれかが操作者によって設定されているか否かの確認をおこなう。ここで、「保存送信」モードとは、画像データ送信処理の終了後に送信側のデジタルカメラ１Ｔの記録媒体における送信済みの画像データを残すように制御する設定である。また、「非保存送信」モードとは、画像データ送信処理の終了後に送信側のデジタルカメラ１Ｔの記録媒体における送信済みの画像データを消去するように制御する設定である。操作者は、操作ＳＷ部１２に連動する所定の操作部材を用いて、
即ち、図３のステップＴ１１において、カメラ制御部１０Ｔは、「保存送信」モードの設定指示があったか否かの確認をおこない、「保存送信」モードの設定指示があった場合には、次のステップＴ１２の処理に進む。
【００６６】
ステップＴ１２において、カメラ制御部１０Ｔは、「保存送信」モードに設定した後、ステップＴ１４の処理に進む。
【００６７】
一方、上述のステップＴ１１において、カメラ制御部１０Ｔは、「非保存送信」モードの設定指示があった場合には、ステップＴ１３の処理に進む。
【００６８】
ステップＴ１３において、カメラ制御部１０Ｔは、「非保存送信」モードに設定した後、ステップＴ１４の処置に進む。
【００６９】
ステップＴ１４において、カメラ制御部１０Ｔは、表示制御部１９Ｔを介して表示部２０Ｔの表示画面２１ｔに、図５（Ａ）または図６（Ａ）に示すような送信画像選択画面を表示させる。
【００７０】
図５（Ａ），図６（Ａ）に示す送信画像選択画面は、表示部２０Ｔの表示画面２１ｔにおいて、デジタルカメラ１Ｔ側の記録媒体に記録されている画像データのうち所定の画像データの画像を表示する画像表示領域２１ｂと、送信画像選択画面であることを示すと共に現在設定されている送信モードの送信条件の種別（「保存送信」モードまたは「非保存送信」モードのいずれか）を示す設定表示領域２１ｃと、当該画面で実行し得る操作項目を示す（本例では「終了」指示と「送信」実行の操作が許可される旨を示している）ガイド領域２１ｄとによって形成されている。
【００７１】
操作者は、この送信画像選択画面によって、例えば所定の操作部材を用いて画像送り操作をおこないながら画像を順次表示させ送信を所望する画像を画像表示領域２１ｂに表示させた後、ＯＫボタンを用いて送信の選択指示をおこなう。これにより選択指示された画像データが送信画像として決定される。その後、ステップＴ１５の処理に進む。
【００７２】
続いて、ステップＴ１５において、カメラ制御部１０Ｔは、表示制御部１９Ｔを介して表示部２０Ｔの表示画面２１ｔに、上述のステップＴ１４の処理にて送信決定された送信画像を表示する。このときの表示部２０Ｔの表示画面は、図５（Ｂ）または図６（Ｂ）に示すように、表示部２０Ｔの表示領域の全域に画像が表示される状態になる。
【００７３】
このとき、画面上の所定の領域２１ｃｃには、現在設定されている送信モードの送信条件の種別（「保存送信」モードまたは「非保存送信」モードのいずれか）を示す文字情報等が画像に重畳した形態で示されている。その後、ステップＴ１６の処理に進む。
【００７４】
続いて、ステップＴ１６において、カメラ制御部１０Ｔは、通信相手であるデジタルカメラ１Ｒとの間でデータ通信をおこなうための通信確立処理を実行する。この通信確立処理は、所定のプロトコルによって通信をおこなって、信号強度の確認や通信相手方の確認や通信環境等の確認をおこなう処理である。
【００７５】
そして、次のステップＴ１７において、カメラ制御部１０Ｔは、通信が確立したか否かの確認をおこなう。ここで、通信が確立したことが確認されたら、次のステップＴ１８の処理に進む。一方、通信が確立したことが確認されない場合には、上述のステップＴ１１の処理に戻って、以降の処理を繰り返す。
【００７６】
なお、上述のステップＴ１６〜Ｔ１７の通信確立処理においては、通信相手方との通信の確立が確認されるまで所定の時間、同処理を繰り返し、所定の時間が経過した場合には、通信が確立できない旨のエラー表示等を表示部２０Ｔに表示して処理を停止し、操作者による何らかの操作、例えばデータ通信動作のキャンセル操作等の入力を促すようにしてもよい。
【００７７】
このようにして、上述のステップＴ１７の処理において、通信が確立できたことが確認された場合には、ステップＴ１８の処理に進む。（送信側の通信確立）
一方、受信側のデジタルカメラ１Ｒが撮影モードまたは再生モードで動作している状態にあるとき、図４に示すように、まず、ステップＲ１１において、カメラ制御部１０Ｒは、動作モードの設定がいずれの状態にあるかの確認をおこなう。まず、このステップＲ１１においては、動作モードの設定が受信モードに設定されているか否かの確認をおこなう。
【００７８】
本デジタルカメラ１Ｒの動作モードを受信モードに設定するには、例えばメニュー画面から画像データ通信を実行させるための項目（受信モード設定等）が操作者により選択されたり、操作者により所定の操作ボタンが操作されることにより、画像データ通信における受信動作処理を開始させる旨の指示信号が発生する。これにより、デジタルカメラ１Ｒは、受信モードで動作するための画像データ受信処理を開始する。
【００７９】
即ち、上述のステップＲ１１の処理にて、受信モードに設定されていることが確認された場合には、ステップＲ１２の処理に進む。
【００８０】
ステップＲ１２において、カメラ制御部１０Ｒは、受信側のデジタルカメラ１Ｒの動作モードを受信モードに設定する。その後、ステップＲ１３の処理に進む。
【００８１】
ステップＲ１３において、カメラ制御部１０Ｒは、送信側のデジタルカメラ１Ｔからの受信要求信号の確認をおこなう。ここで、受信要求信号が確認されたらステップＲ１４の処理に進み、送信側のデジタルカメラ１Ｔとの通信確立処理をおこなう。また、受信要求信号が確認されない場合には、上述のステップＲ１２の処理に戻り、以降の処理を繰り返す。
【００８２】
なお、この場合において、受信要求信号が確認されないまま所定の時間が経過した場合には、通信相手先が見つからない旨のエラー表示等を表示部２０Ｔに表示して処理を停止し、操作者による何らかの操作、例えばデータ通信動作のキャンセル操作等の入力を促すようにしたり、現在の受信モードに設定される直前の動作モードに戻るようにしてもよい。
【００８３】
上述したように、ステップＲ１４において、カメラ制御部１０Ｒは、通信相手であるデジタルカメラ１Ｔとの間でデータ通信をおこなうための通信確立処理を実行する。この通信確立処理は、上述の送信側のデジタルカメラ１Ｔのカメラ制御部１０Ｔにおいて行われる通信確立処理と略同様の処理であって、所定のプロトコルによって通信をおこない、信号強度の確認や通信相手方の確認や通信環境等の確認をおこなう処理である。そして、この通信確立処理の実行中に、カメラ制御部１０Ｒは、次のステップＲ１５の処理を実行する。
【００８４】
ステップＲ１５において、カメラ制御部１０Ｒは、通信が確立したか否かの確認をおこなう。ここで、通信が確立したことが確認されたら、次のステップＲ１６の処理に進む。一方、通信が確立したことが確認されない場合には、上述のステップＲ１２の処理に戻って、以降の処理を繰り返す。
【００８５】
なお、ステップＲ１４〜Ｒ１５の通信確立処理においては、通信相手方との通信の確立が確認されるまで所定の時間、同処理を繰り返し、所定の時間が経過した場合には、通信が確立できない旨のエラー表示等を表示部２０Ｒに表示して処理を停止し、操作者による何らかの操作、例えばデータ通信動作のキャンセル操作等の入力を促すようにしたり、現在の受信モードに設定される直前の動作モードに戻るようにしてもよい。
【００８６】
このようにして、上述のステップＲ１５の処理において、通信が確立できたことが確認された場合には、ステップＲ１６の処理に進む。（受信側の通信確立ケース１）
一方、本実施形態においては、受信側のデジタルカメラ１Ｒが他の動作モードで動作中に、送信側のデジタルカメラ１Ｔからの受信要求信号を受けると自動的に受信モードに切り換わるようになっている。
【００８７】
即ち、上述のステップＲ１１の処理において、受信モードに設定されていないことが確認された場合には、ステップＲ３１の処理に進み、このステップＲ３１において、カメラ制御部１０Ｒは、動作モード設定が撮影モードに設定されているか否かの確認をおこなう。ここで、撮影モードに設定されていることが確認された場合には、ステップＲ３２の処理に進む。
【００８８】
ステップＲ３２において、カメラ制御部１０Ｒは、操作者の操作により生じる指示信号にしたがって撮影モードの処理を実行する。そして、この撮影モードの実行中に、カメラ制御部１０Ｒは、次のステップＲ３３の処理を実行する。
【００８９】
ステップＲ３３において、カメラ制御部１０Ｒは、送信側のデジタルカメラ１Ｔからの受信要求信号の確認をおこなう。ここで、受信要求信号が確認されたらステップＲ３４の処理に進む。また、受信要求信号が確認されない場合には、上述のステップＲ３１の処理に戻り、以降の処理を繰り返す。
【００９０】
なお、この場合において、受信要求信号が確認されないまま所定の時間が経過した場合には、通信相手先が見つからない旨のエラー表示等を表示部２０Ｔに表示して処理を停止し、操作者による何らかの操作、例えばデータ通信動作のキャンセル操作等の入力を促すようにしたり、現在の受信モードに設定される直前の動作モードに戻るようにしてもよい。
【００９１】
ステップＲ３４において、カメラ制御部１０Ｒは、現在実行中の撮影モードでの処理において、画像データの記録動作中であるか否かの確認をおこなう。ここで、画像記録動作中である場合には、ステップＲ３５の処理に進む。また、画像記録動作中ではない場合には、ステップＲ３６の処理に進む。
【００９２】
ステップＲ３５において、カメラ制御部１０Ｒは、画像記録動作が終了するまで待機し、動作終了後、ステップＲ３６の処理に進む。
【００９３】
ステップＲ３６において、カメラ制御部１０Ｒは、通信相手である送信側のデジタルカメラ１Ｔとの間でデータ通信をおこなうための通信確立処理を実行する。そして、この通信確立処理の実行中に、カメラ制御部１０Ｒは、次のステップＲ３７の処理を実行する。
【００９４】
ステップＲ３７において、カメラ制御部１０Ｒは、通信が確立したか否かの確認をおこなう。ここで、通信が確立したことが確認されたら、次のステップＲ３８の処理に進む。一方、通信が確立したことが確認されない場合には、上述のステップＲ３１の処理に戻って、以降の処理を繰り返す。
【００９５】
なお、ステップＲ３６〜Ｒ３７の通信確立処理においては、通信相手方との通信の確立が確認されるまで所定の時間、同処理を繰り返し、所定の時間が経過した場合には、通信が確立できない旨のエラー表示等を表示部２０Ｒに表示して処理を停止し、操作者による何らかの操作、例えばデータ通信動作のキャンセル操作等の入力を促すようにしたり、現在の受信モードに設定される直前の動作モードに戻るようにしてもよい。
【００９６】
このようにして、上述のステップＲ３７の処理において、通信が確立できたことが確認された場合には、ステップＲ３８の処理に進む。（受信側の通信確立ケース２）
他方、上述のステップＲ３１の処理において、撮影モードに設定されていないことが確認された場合には、再生モードに設定されているものと判断されて、ステップＲ３９の処理に進む。
【００９７】
ステップＲ３９において、カメラ制御部１０Ｒは、操作者の操作によって生じる指示信号にしたがって再生モードの処理を実行する。そして、この再生モードの実行中に、カメラ制御部１０Ｒは、次のステップＲ４０の処理を実行する。
【００９８】
ステップＲ４０において、カメラ制御部１０Ｒは、送信側のデジタルカメラ１Ｔからの受信要求信号の確認をおこなう。ここで、受信要求信号が確認されたらステップＲ３６の処理に進む。そして、ステップＲ３６以降の処理は、上述のケース２と同じ処理、即ち、ステップＲ３６〜Ｒ３７の通信確立処理がおこなわれ、通信の確立が確認されたら、ステップＲ３８の処理に進む。
【００９９】
また、上述のステップＲ４０の処理において、受信要求信号が確認されない場合には、上述のステップＲ３１の処理に戻り、以降の処理を繰り返す。
【０１００】
なお、この場合において、受信要求信号が確認されないまま所定の時間が経過した場合には、通信相手先が見つからない旨のエラー表示等を表示部２０Ｔに表示して処理を停止し、操作者による何らかの操作、例えばデータ通信動作のキャンセル操作等の入力を促すようにしたり、現在の受信モードに設定される直前の動作モードに戻るようにしてもよい。
【０１０１】
そして、上述のステップＲ３７の処理において、通信の確立が確認されてステップＲ３８の処理に進むと、このステップＲ３８において、カメラ制御部１０Ｒは、動作モードを割込み受信モードに設定する。その後、ステップＲ１６の処理に進む。
【０１０２】
図３に戻って、送信側のデジタルカメラ１Ｔでは、ステップＴ１８において、カメラ制御部１０Ｔにより実際の画像データ送信処理が開始される。この画像データ送信処理は、送信すべき画像データをパケット単位で通信相手となる受信側のデジタルカメラ１Ｒへと送信し、適宜受信側のデジタルカメラ１Ｒとの間でデータチェック等の交信をおこないながら処理を進行させる。
【０１０３】
この画像データ送信処理が開始されると、まず、ステップＴ１９において、カメラ制御部１０Ｔは、設定されている送信条件が「保存送信」モードであるか否かの確認をおこなう。ここで、送信条件が「保存送信」モードに設定されている場合には、ステップＴ２０の処理に進み、このステップＴ２０において、カメラ制御部１０Ｔは、表示制御部１９Ｔを制御して表示部２０Ｔに保存送信画面（図５（Ｃ）参照）を表示させる。その後、ステップＴ２２の処理に進む。
【０１０４】
図５（Ｃ）に示す保存送信画面は、画像表示領域２１ｂ上に、同領域２１ｂにより形成される矩形領域よりも一回り小型の矩形状の枠線２１ｆと、この枠線２１ｆにより囲まれる領域内の所定の部位に画像データ送信動作が開始された旨の状態を文字情報等によって示す状態表示領域２１ｅが重畳表示された形態となっている。なお、枠線２１ｆにより囲まれる領域の面積としては、画像表示領域２１ｂ全体の領域の面積に対して、例えば、１／４程度の面積に縮小した矩形状とし、この領域は画面の略中央部分に表示される。
【０１０５】
この場合において、画像表示領域２１ｂには、画面全体領域を使って送信される画像ｔ２が表示されていると同時に、枠線２１ｆよりも内側の領域には、送信画像と同一の画像であって保存されることを表す第１画像ｔ１が表示されている。つまり、同じ画像データに基づく２つの画像が同時に表示されている。
【０１０６】
一方、上述のステップＴ１９の処理にて、送信条件が「非保存送信」モードに設定されている場合には、ステップＴ２１の処理に進み、このステップＴ２１において、カメラ制御部１０Ｔは、表示制御部１９Ｔを制御して表示部２０Ｔに非保存送信画面（図６（Ｃ）参照）を表示させる。その後、ステップＴ２２の処理に進む。
【０１０７】
図６（Ｃ）に示す非保存送信画面は、画像表示領域２１ｂと、同領域２１ｂの形成される矩形領域よりも一回り小型の矩形状の枠線２１ｆが表示された形態からなる。なお、枠線２１ｆにより囲まれる領域の面積については、上述の保存送信画面（図５（Ｃ））と同様である。そして、枠線２１ｆよりも内側の領域に送信画像ｔ１が表示されている点は、上述の保存送信画面（図５（Ｃ））と同じであるが、枠線２１ｆ外の領域に画像ｔ２が表示されていない点では、上述の保存送信画面とは異なる。
【０１０８】
このようにして、図５（Ｃ）または図６（Ｃ）の表示がなされた状態になると、上述したような実際の画像データの送信処理が実行される。
【０１０９】
そして、その画像データ送信処理の実行中には、図３のステップＴ２２において、カメラ制御部１０Ｔは、操作ＳＷ部１２から中止指示信号が生じていないか否かの確認をおこなう。この中止指示信号は、例えば操作者が上述のステップＴ１８の送信処理の開始以降に所定の処理中止操作をおこなった場合に発生する。
【０１１０】
具体的には、例えば操作者が「保存送信」モードで送信処理を実行するつもりであったのに、送信処理の開始後に図６（Ｃ）の送信画面によって、誤って「非保存送信」モードでの送信処理を実行してしまったことに気が附いたような場合が想定される。このように、操作者は、送信処理の開始後に操作ミスに気が附いた場合でも、所定の送信中止操作をおこなうことで、実行中の送信処理を中止することができるのである。
【０１１１】
このステップＴ２２の処理にて、中止指示信号が確認された場合には、送信処理を中止する処理を実行した後、上述のステップＴ１１の処理に戻る。以降同様の処理を繰り返す。また、中止指示信号が確認されない場合には、ステップＴ２３の処理に進む。
【０１１２】
ステップＴ２３において、カメラ制御部１０Ｔは、画像データ送信処理が完了したか否かの確認をおこなう。ここで、送信処理の完了が確認された場合には、ステップＴ２４の処理に進む。
【０１１３】
なお、上述のステップＴ１８の送信処理の開始時の表示画面（図５（Ｃ）または図６（Ｃ））は、同送信処理の実行中には、図５（Ｄ）〜（Ｇ）または図６（Ｄ）〜（Ｇ）のように変化する。
【０１１４】
ステップＴ２４において、カメラ制御部１０Ｔは、送信完了処理を実行する。ここで、カメラ制御部１０Ｔは、表示制御部１９Ｔを制御して表示部２０Ｔの表示画面に図５（Ｈ）または図６（Ｈ）のような送信完了画面を表示させる。その後、ステップＴ２６の処理に進む。
【０１１５】
ここで、送信処理の実行中における表示画面の変化を説明する。
【０１１６】
保存送信時における送信処理開始後、上述の図５（Ｃ）の表示がなされた後、送信処理が進行すると、続いて図５（Ｄ）の表示に変化する。図５（Ｄ）では、枠線２１ｆによって形成される矩形状の領域の送信画像ｔ１が画面中央部分にて更に縮小されて表示される。これに併せて、枠線２１ｆによる矩形領域から画面左端までの間にブランク領域ｂが表示される。なお、このブランク領域ｂとしては、例えば黒色塗り潰し表示等によって表示される。
【０１１７】
この図５（Ｄ）の表示がなされた後、送信処理の進行にしたがって、枠線２１ｆ内の領域の画像ｔ１が画面上を例えば左方向に向けて徐々に移動しながら表示される。このときの表示経過を、図５（Ｅ)，図５（Ｆ），図５（Ｇ）によって示している。
【０１１８】
そうして、送信処理の終了近くの時点では、枠線２１ｆ内の領域の画像ｔ１は、図５（Ｇ）に示すように、当該画像の右端近傍の領域のみが部分的に表示され、同時に枠線２１ｆ内の領域はブランク表示に変化する。
【０１１９】
最終的に送信処理が完了すると、枠線２１ｆ内の領域は、当初図５（Ｄ）でブランク表示であった領域と共にブランク表示状態になる。この状態において、送信画像は、枠線２１ｆ内及び画像表示領域２１ｂ内から完全に退場した状態となる。このとき、同時に状態表示領域２１ｅには、送信完了を示す表示がなされる。
【０１２０】
そして、最後に、図５（Ｊ）に示すように、保存される画像データの画像が画像表示領域２１ｂの全体領域を用いて所定の短時間表示される。これにより、画像データ送信処理の完了した後においても、同画像データが送信側のデジタルカメラ１Ｔの記録部１８Ｔにおける記録媒体に保存されていることが、表示部２０Ｔを用いて操作者に示される。
【０１２１】
このように、保存送信モードでは、送信処理の実行中には、表示部２０の画面上に同一の２つの画像を重ねて表示させ、送信処理の経過に伴って一方の画像ｔ１を表示部２０の表示画面上において移動表示させながら、送信処理の完了と共に、表示画面上から退場させるような形態のアニメーション表示をおこなうようにしている。
【０１２２】
このような表示をおこなうことにより、送信処理の進行経過を操作者に示すと共に、他方の画像ｔ２を表示画面上の領域２１ｂ全体を使って固定表示することで、送信条件が保存送信であることを操作者に明確に示すことができる。
【０１２３】
一方、非保存送信時における送信処理開始後、上述の図６（Ｃ）の表示がなされて送信処理が進行すると、続いて図６（Ｄ）の表示に変化する。この図６（Ｄ）から送信処理の進行にしたがって変化する表示経過（図６（Ｅ)，図６（Ｆ），図６（Ｇ），図６（Ｈ））は、上述の保存送信モード時と略同様である。ただし、非保存送信モードでは、画像ｔ２が表示されない点が異なるのみである。
【０１２４】
このように、非保存送信モードでは、送信処理の実行中には、表示部２０の画面上に縮小した送信画像ｔ１を表示させ、送信処理の経過に伴って、当該画像ｔ１を表示部２０の表示画面上において移動表示させながら、送信処理の完了と共に、表示画面上から退場させるような形態のアニメーション表示をおこなうようにしている。
【０１２５】
このような表示をおこなうことにより、送信処理の進行経過を操作者に示すと共に、他方の画像ｔ２を表示画面上の領域２１ｂ全体を使って固定表示することで、送信条件が保存送信であることを操作者に明確に示すことができる。
【０１２６】
また、保存送信モード時の表示と、非保存送信モード時の表示とを異なる表示形態としたので、操作者は、状態表示領域２１ｅの表示を見るまでもなく、表示画面の画像を見るだけで、容易に設定されている送信条件を確認することができる。
【０１２７】
ステップＴ２６において、カメラ制御部１０Ｔは、送信条件が「保存送信」モードに設定されているか否かの確認をおこなう。ここで、「保存送信」モードに設定されていることが確認された場合には、一連の処理を終了する（エンド）。一方、送信条件が「非保存送信」モードに設定されている場合には、ステップＴ２７の処理に進む。
【０１２８】
ステップＴ２７において、カメラ制御部１０Ｔは、記録再生部１７を介して記録部１８の記録媒体にアクセスし、直前に送信処理をおこなった画像データに対してこれを記録媒体から消去する消去処理を実行する。その後、一連の処理を終了する（エンド）。
【０１２９】
一方、上述のステップＴ２３の処理において、送信処理の完了が確認されない場合には、ステップＴ２５の処理に進む。送信処理の完了が確認されない場合とは、例えば、送信処理が所定の時間以内で完了しなかった場合や、送信の途中で通信相手との接続に不具合が生じて通信状態が断たれてしまったような場合には、送信処理に失敗したと判断される。このような場合には、ステップＴ２５の処理に進み、このステップＴ２５において、カメラ制御部１０Ｔは、所定のエラー処理を実行し、例えば表示部２０Ｔに送信処理に失敗した旨を表す所定のエラー表示処理をおこなう。その後、一連の処理を終了する（エンド）。
【０１３０】
一方、受信側のデジタルカメラ１Ｒでは、図４のステップＲ１６において、カメラ制御部１０Ｒにより実際の画像データ受信処理が開始される。この画像データ受信処理は、受信される画像データをパケット単位で通信相手となる送信側のデジタルカメラ１Ｔから送信し、適宜送信側のデジタルカメラ１Ｔとの間でデータチェック等の交信をおこないながら処理を進行させる。
【０１３１】
この画像データ受信処理が開始されると、まず、ステップＲ１７において、カメラ制御部１０Ｒは、受信モードが、割込み受信モードに設定されているか否かの確認をおこなう。ここで、割込受信モードに設定されていることが確認された場合には、ステップＲ１８の処理に進む。一方、通常の受信モードに設定されていることが確認された場合には、ステップＲ１９の処理に進む。
【０１３２】
ステップＲ１９において、カメラ制御部１０Ｒは、表示制御部１９Ｒを制御して表示部２０Ｒの表示画面に、図７（Ａ）に示すような通常の受信開始画面を表示させる。
【０１３３】
通常受信開始画面２１ｒは、受信画像が表示される画像表示領域２１ｂと、設定されている動作モード等の設定状態が文字情報等によって表示される状態表示領域２１ｅと、実行可能な操作項目が表示されるガイド領域２１ｄとによって形成されている。この場合において、画像表示領域２１ｂには、受信処理の開始前の時点では画像は表示されておらずブランク表示状態となっている。また、状態表示領域２１ｅには、画像データ受信処理が開始された旨を表す文字情報等が表示されている。ガイド領域２１ｄには、終了操作のための操作部材がＭＥＮＵボタンであることを示している。
【０１３４】
デジタルカメラ１Ｒの表示部２０Ｒに通常受信開始画面２１ｒが表示された後、ステップＲ２０の処理に進む。
【０１３５】
一方、上述のステップＲ１７の処理にて、割込受信モードに設定されていることが確認されてステップＲ１８の処理に進むと、このステップＲ１８において、カメラ制御部１０Ｒは、表示制御部１９Ｒを制御して表示部２０Ｒの表示画面に、図８（Ｂ）に示すような割込受信開始画面を表示させる。
【０１３６】
まず、割込受信モードで動作する直前においては、表示部２０Ｒの表示領域２１ｂには、その全体を使って図８（Ａ）で示すように画像ｐが表示された状態にある。このとき表示領域２１ｂに表示される画像ｐは、例えば直前の動作モードが撮影モードであれば撮像素子からの画像信号に基づくモニタ画像が表示される。このモニタ画像としては、受信処理の実行中も撮像部１３を駆動制御して得られるリアルタイムのモニタ画像を表示し続けるようにしてもよい。また、割込受信モードに切り換わる直前のモニタ画像を一時的にＲＡＭ１５等に記録して、その静止画像を再生表示するようにしても良い。
【０１３７】
一方、直前の動作モードが再生モードであれば記録媒体に記録された画像データに基づく画像が再生表示される。
【０１３８】
次いで、図８（Ａ）の表示画面は、上述のステップＲ１８の処理によって、図８（Ｂ）の表示に切り換わる。つまり、画像表示領域２１ｂには、直前の動作モードで表示されていた画像ｐ（図では直前の動作モードが撮影モードである場合のモニタる画像とする）が表示される。また、画像表示領域２１ｂの一部の領域であって状態表示領域２１ｅには受信処理が開始された旨を示す文字情報等が表示される。
【０１３９】
このようにして、デジタルカメラ１Ｒの表示部２０Ｒに通常受信開始画面２１ｒまたは割込受信開始画面２１ｒが表示された後、その受信処理の進行中において、ステップＲ２０の処理が実行される。
【０１４０】
即ち、ステップＲ２０において、カメラ制御部１０Ｒは、受信処理が正常に完了したか否かの確認をおこなう。ここで、受信処理が正常に完了したことが確認された場合には、ステップＲ２１の処理に進む。
【０１４１】
ステップＲ２１において、カメラ制御部１０Ｒは、受信完了処理を実行する。ここで、カメラ制御部１０Ｒは、表示制御部１９Ｒを制御して表示部２０Ｒの表示画面に図７（Ｈ）または図８（Ｈ）のような受信完了画面を表示させる。その後、ステップＲ２３の処理に進む。
【０１４２】
ここで、受信処理の実行中における表示画面の変化を説明する。
【０１４３】
通常受信時における受信処理開始後、上述の図７（Ａ）の表示がなされて受信処理が進行すると、続いて図７（Ｂ）の表示に変化する。図７（Ｂ）では、ブランク領域ｂの範囲内に、例えば受信処理が実行中であることを示す矢印等の記号ｍ（図では「＞」で示す）が例えば点滅表示される。状態表示領域２１ｅの表示は「受信中」に変化する。
【０１４４】
この図７（Ｂ）の表示が受信処理の進行にしたがって、図７（Ｃ)，図７（Ｄ），図７（Ｅ）と変化した後、さらに図７（Ｆ）の表示になる。
【０１４５】
図７（Ｆ）の表示では、画面上において左端から受信画像ｒ１の右端の一部が表示されている。このとき受信画像ｒ１は、枠線２１ｆのサイズに合わせた縮小サイズで表示されている。
【０１４６】
この図７（Ｆ）の表示から、さらに受信処理が進行すると、受信画像ｒ１は、徐々に画面上において右方向に向けて移動しながらアニメーション的に表示され、図７（Ｇ)の表示において、受信画像ｒ１は、画面略中央部分に表示される。
【０１４７】
こうして、図７（Ｇ）の表示状態になった後、図７（Ｈ）に示す表示に変化する。つまり、図７（Ｇ）に示すように、縮小状態の受信画像ｒ１は、表示画面上で次第に大きく表示されて、図７（Ｈ）で示すように、割込受信開始画面２１ｒの全表示領域に対して一回り小さい矩形２１ｆａの大きさで表示される。このとき、状態表示領域２１ｅの表示は「受信完了」表示に変化する。
【０１４８】
最終的に、受信処理が完了すると、図７（Ｊ）に示すように、表示画面全体を用いて受信画像ｒ１が表示される。
【０１４９】
一方、上述の図８（Ｂ）の表示がなされて割込受信処理が開始され、当該受信処理が進行すると、表示画面２１ｒは、図８（Ｃ）に示す受信表示画面に切り換わる。即ち、このときの表示画面２１ｒには、画像表示領域２１ｂに表示される画像（モニタ画像）ｐと、この画像ｐに重ねて、受信処理が実行中であることを示す状態表示領域２１ｅの「受信中」の表示や、実行中の受信処理が割り込む直前の動作モード（図では撮影モード）を表す絵文字等のモード表示２１ｅｅが表示される。また、画面略中央部分とこれに続く画面左側領域にブランク領域ｂが表示される。
【０１５０】
なお、図８（Ｃ）では、割込受信処理が開始された後、所定の時間経過後の様子を図示していることから、画面左端領域には、受信済みの画像ｒの一部が表示されている状態が示されている。
【０１５１】
この図８（Ｃ）の表示がなされて、さらに受信処理が進行すると、続いて図８（Ｄ）の表示に変化し、図８（Ｅ）の表示を経て、受信処理が完了すると、図８（Ｆ）の表示となる。このとき、状態表示領域２１ｅの表示は「受信完了」表示に変化する。
【０１５２】
なお、図８（Ｃ），図８（Ｄ），図８（Ｅ）の表示変化は、上述の図７（Ｆ），図７（Ｇ），図７（Ｈ）における受信画像ｒ１の表示変化と略同様の表示変化、即ち、受信画像ｒ１が画面上を右方向に向けて移動しながらアニメーション的に表示され、略中央部分で固定表示され、かつ縮小サイズの受信画像ｒ１は、図８（Ｆ）において、画面全体を用いた表示がなされる。これにより、操作者は、受信処理が完了したことを知ることができるようになっている。
【０１５３】
そして、最終的に受信処理が完了すると、図８（Ｇ）に示すように、表示部２０Ｒの表示画面には、当該受信処理が割り込む直前の動作モード（図では撮影モード）のモニタ画像ｐが、その表示領域全体を用いて表示される。このとき、状態表示領域２１ｅの表示と動作モードを表すモード２１ｅｅの表示は非表示となる。これにより、割込み受信処理が終了し、元の動作モード（この場合は撮影モード）に復帰することになる。
【０１５４】
図４に戻って、ステップＲ２３において、カメラ制御部１０Ｒは、受信モードが割込受信モードに設定されているか否かの確認をおこなう。ここで、割込受信モードに設定されていないことが確認された場合には、一連の処理を終了する（エンド）。一方、割込受信モードが設定されていることが確認された場合には、ステップＲ２４のの処理に進む。
【０１５５】
ステップＲ２４において、カメラ制御部１０Ｒは、割込受信モードでの動作が開始される直前に設定されていた動作モードへと切り換える処理を実行する。その後、上述のステップＲ３１の処理に進み、以降同様の処理が繰り返される。
【０１５６】
一方、上述のステップＲ２０の処理において、受信処理が正常に完了しなかったと判断された場合には、ステップＲ２２の処理に進む。
【０１５７】
ステップＲ２２において、カメラ制御部１０Ｒは、表示制御部１９Ｒを制御して表示部２０の表示画面に受信処理に失敗した旨を表す警告のためのエラー表示処理をおこなう。その後、ステップＲ２３の処理に進み、以降の処理を同様に実行する。
【０１５８】
以上説明したように上記第１の実施形態によれば、画像データ送信処理の終了後に送信済みの画像データを送信側の画像装置（デジタルカメラ１Ｔ）の記憶媒体に残すように制御する「保存送信」モードと、画像データ送信処理の終了後に送信側の画像装置（デジタルカメラ１Ｔ）の記録媒体から送信済みの画像データを消去するように制御する「非保存送信」モードとを有し、操作者は送信処理をおこなう際に２つ送信モードのいずれかの方法を選択し得るようにし、画像データ送信処理の実行中には、各送信モードに対応した異なる表示がなされるように表示制御をおこなうようにしている。したがって、操作者は、画像データ送信処理の実行中に表示部２０の表示を見るだけで、実行中の送信モードの種別を明確に確認することができる。
【０１５９】
また、送信処理の実行中の表示部の表示を、いずれの送信モードにおいても、それぞれの送信処理の経過に合わせて変化させるようにしたので、操作者は表示部２０の表示を見るだけで、実行中の送信処理の経過を容易にしることができる。
【０１６０】
さらに、送信側の画像装置の表示部の表示変化と、その通信相手方となる受信側の画像装置の表示部の表示変化とを、処理の経過に合わせて対応させた表示をおこなうようにしたので、操作者は、送信側の画像装置の表示部だけでなく、受信側の画像装置の表示部を見ることによっても処理の経過（この場合は受信処理の経過）を知ることができる。
【０１６１】
また、受信側の画像装置（デジタルカメラ１Ｒ）においては、撮影モードまたは再生モードで動作している状態であっても、送信側の画像装置（デジタルカメラ１Ｔ）からの受信要求信号を受けると自動的に受信処理の実行を開始するようにしている。したがって、操作者は、送信側の画像装置（デジタルカメラ１Ｔ）を用いて画像データ送信処理を実行するための操作をおこなうのみで、特に受信側の画像装置の準備操作等をおこなう必要はなく、よって簡単な操作のみで画像データ送信処理を実行することができる。
【０１６２】
一方、受信側の画像装置（デジタルカメラ１Ｒ）においては、割込み受信モードでの受信処理中は、受信表示画面には、割込み受信モードに切り換わる直前の動作モードによる画像が表示されるようにしている。つまり、直前の動作モードが撮影モードであればモニタ画像が表示され、直前の動作モードが再生モードであれば再生であった画像が表示されるようにしている。これに加えて、割込み受信モードの受信表示画面では、直前の動作モードを表す表示２１ｅｅを表示するようにしているので、操作者は、実行中の受信処理が割込み受信モードでの受信処理であることと、直前の動作モードの種類を、表示部２０Ｒの表示を見るだけで簡単に知ることができる。特に、図８で示すように、受信処理に係る受信画像の背後の領域に、直前の動作モードで扱っていたモニタ画像または再生画像が表示されるので、実行中の割込み受信モードの直前の動作状況を明確かつ容易に把握することができる。
【０１６３】
さらに、割込み受信モードの受信処理中の受信表示画面において、直前の動作モードが撮影モードであった場合には、リアルタイムのモニタ画像を表示するようにしておけば、直前までおこなっていた撮影動作を完全に中断することなく、表示部２０Ｒに表示されるモニタ画像の一部を利用して画角設定等の撮影準備操作をおこなうことができる。したがって、受信処理終了後に撮影モードに復帰したときには、直ちに撮影動作をおこなうことができ、割込み受信処理によって撮影動作が中断されることによる操作者の撮影意識を完全に中断させることなく、撮影者を違和感なく撮影動作に復帰させることができる。
【０１６４】
ところで、上述の一実施形態の画像装置を用いておこなわれる画像データ通信処理の実行中における表示部の表示変化（図５〜図８）は、単なる一つの例示であって、表示変化の形態はこれに限られることはない。
【０１６５】
例えば、次に示す図９によって、本発明の上記一実施形態の画像装置を用いておこなわれる画像データ通信処理の実行中における表示部の表示変化の別の例を説明する。
【０１６６】
なお、図９は、送信側の画像装置（デジタルカメラ１Ｔ）の表示部２０Ｔに表示される表示変化の例であり、かつ送信条件として保存送信モードでの送信処理時の表示変化を示している。
【０１６７】
まず、送信側の画像装置において、操作者による所定の操作により送信を所望する画像データの選択がなされた後、送信処理の実行を開始する操作がなされて画像データ送信処理が開始されると、表示部２０Ｔの表示画面２１ｔには、図９（Ａ）に示す表示がなされる。
【０１６８】
図９（Ａ）の表示では、送信する画像データに基づく画像ｔが画像表示領域２１ｂに表示されると共に、この画像表示領域２１ｂ内の所定の部位の状態表示領域２１ｅに「送信開始」を示す情報や送信条件情報である「保存送信」等の文字情報が、送信画像ｔに重畳させて表示される。続いて、図９（Ｂ）の表示に変化する。
【０１６９】
図９（Ｂ）の表示では、操作者により選択された送信画像データに基づく２つの画像ｔ１，ｔ２が画像表示領域２１ｂ内に二つ並べて同時に表示されている。この場合において、画像ｔ１を送信画像、画像ｔ２を保存される画像とする。ここで、画像ｔ１，ｔ２の配置は、例えば、送信側の画像装置としてのデジタルカメラ１Ｔの背面の表示部２０の表示画面を見たとき、通信部２１の赤外線の送受光窓２１ａが設けられている側に、送信画像ｔ１が表示されるようにしている（送受光窓２１ａの配置は図２を参照）。
【０１７０】
この図９（Ｂ）の表示は、送信処理が進行すると共に、図９（Ｃ），図９（Ｄ），図９（Ｅ）の順で変化する。
【０１７１】
即ち、図９（Ｃ）の表示から図９（Ｃ），図９（Ｄ）の表示への変化では、第１画像ｔ１が徐々に縮小表示されるアニメーション的な表示がなされる。このとき、第１画像ｔ１の表示位置に変化はない。一方、第２画像ｔ２は、その位置及び表示サイズともに変化させずに表示され続けている。なお、状態表示領域２１ｅの表示は「送信中」の表示に変化している。
【０１７２】
そして、送信処理が完了すると、状態表示領域２１ｅの表示は「送信完了」表示に変化すると共に、第１画像ｔ１が消滅して、第２画像ｔ２のみが元の位置に表示されている。
【０１７３】
さらに、その後、第２画像ｔ２が画像表示領域２１ｂの全体を用いて表示されるようにしてもよい。
【０１７４】
このような形態の別の表示例を用いても、上述の一実施形態と同様の効果、即ち送信画像ｔ１のアニメーション表示により送信処理の経過具合を示すと共に、他方の画像ｔ２を固定表示させることで、設定されている送信条件が保存送信モードであることが明確に示される。したがって、操作者は、上述の一実施形態と同様に、容易に実行中の処理状況等を知ることができる。
【０１７５】
さらに、上記別の表示例では、送信画像ｔ１を通信部２１の配設されている部位に近い側に表示させるようにしたので、同一表示画面上に表示される同一の２つの画像のうちいずれが送信画像ｔ１であるかが直感的に判別できる構成となっている。
【０１７６】
また、特に図示はしていないが、この図９の表示例に対応させた非保存送信モード時の表示画面としては、例えば図９において表示画面２１ｔの向かって右側に固定表示させた画像ｔ２を非表示とし、一方の第１画像ｔ１のみを表示させるようにすればよい。
【０１７７】
また、これとは別の非保存送信モード時の表示画面としては、図６で説明した表示変化例を適用してもよい。
【０１７８】
一方、上述の別の表示例に対応させる受信側の表示例としては、図９の例のように表示画面上の左右領域に２画像を並べて表示させる場合において、左側に受信画像を表示させると共に、右側にモニタ画像（または再生画像）を表示させるような態様とすることが考えられる。
【０１７９】
他方、上述の一実施形態で説明した表示例とは、さらに別の表示例を以下に説明する。
【０１８０】
図１０，図１１は、本発明の一実施形態の画像装置による画像データ通信時の表示部の表示画面についての第１の変形例を示す図である。このうち図１０は送信側の画像装置の表示画面における表示変化を示し、図１１は、図１０に対応する受信側の画像装置の表示画面における表示変化を示している。
【０１８１】
図１０，図１１の表示例においては、上述の一実施形態と同様に、送信側の画像装置として上記デジタルカメラ１Ｔを用い、受信側の画像装置として上記デジタルカメラ１Ｒを用いるものとしている。つまり、画像装置としてのデジタルカメラ１の構成とその通信形態（図１，図２参照）及び送信処理及び受信処理の処理シーケンス（図３，図４参照）は、上述の一実施形態に準じるものとする。したがって、上述の一実施形態と同じ構成部材については同じ符号を用い、また上述の一実施形態で用いた図面（図１〜図４）を参照しながら説明する。
【０１８２】
また、図１０，図１１の表示例では、送信側のデジタルカメラ１Ｔの送信条件としては保存送信モードに設定されており、受信側のデジタルカメラ１Ｒは割込み受信モードで動作する場合を前提としている。
【０１８３】
まず、送信側のデジタルカメラ１Ｔにおける画像データ送信処理の開始時点の送信表示画面２１ｔは、図１０（Ａ）の表示となる。この図１０（Ａ）の表示では、表示画面全体を用いて送信画像ｔが表示されている。状態表示領域２１ｅには「送信開始」を示す表示がなされている。
【０１８４】
ここから送信処理が進行すると、この図１０（Ａ）の表示から図１０（Ｂ），図１０（Ｃ），図１０（Ｄ）の表示を経て図１０（Ｅ）の表示に変化する。つまり、図１０（Ａ）の表示から図１０（Ｂ），図１０（Ｃ），図１０（Ｄ）の表示までの間で、送信画像ｔ１は、表示画面の略中央部分にあって徐々に縮小するようにアニメーション的に表示されると共に、送信画像ｔ１の表示領域以外の表示領域、即ち表示画面２１ｔの周縁領域には、送信画像ｔ１と同一の画像ｔ２が画面全体を用いた形態でそのままの表示が残るように表示される。したがって、送信処理の進行と共に、送信画像ｔ１が小さくなる一方、同一画像ｔ２の表示が画面周縁部から次第に表れるように表示される。そして、送信処理が完了すると、図１０（Ｅ）の表示で送信画像ｔ１は完全に消滅する一方、同一の画像ｔ２が表示画面全体を用いて表示される。この表示画像ｔ２の表示が残ることで、これに対応する画像データが送信側のデジタルカメラ１Ｔの記録媒体に残されることを示している。
【０１８５】
また、図１０（Ａ）の表示から図１０（Ｂ）へと変化する際に状態表示領域２１ｅの表示が「送信中」を示す表示に変化し、この表示は送信完了直前まで維持される。つまり、図１０（Ｃ），図１０（Ｄ）の表示の間は、状態表示領域２１ｅは「受信中」の表示が維持され、図１０（Ｅ）の表示で「送信完了」に変化する。
【０１８６】
一方、受信側のデジタルカメラ１Ｒにおいては、撮影モードで動作しているときに割込み受信モードに切り換わると、表示画面２１ｒは図１１（Ａ）の表示となる。この図１１（Ａ）の表示では、表示画面全体を用いてモニタ画像ｐが表示されている。状態表示領域２１ｅには「受信開始」を示す表示がなされている。
【０１８７】
ここから割込み受信処理が進行すると、この図１１（Ａ）の表示から図１１（Ｂ），図１１（Ｃ），図１１（Ｄ）の表示を経て図１１（Ｅ）の表示に変化する。つまり、図１１（Ａ）の表示から図１１（Ｂ），図１１（Ｃ），図１１（Ｄ）の表示までの間で、受信画像ｒは、表示画面の略中央部分にあって徐々に拡大するようにアニメーション的に表示されると共に、受信画像ｒの表示領域以外の表示領域に表示されるモニタ画像ｐが次第に受信画像ｒによって画面略中央部分から隠されるようになる。そして、受信処理が完了すると、モニタ画像ｐは画面全体に表示される受信画像ｒによって完全に隠された状態になる。この受信画像ｒのみの表示は所定の時間継続される。
【０１８８】
また、図１１（Ａ）の表示から図１１（Ｂ）へと変化する際に状態表示領域２１ｅの表示が「受信中」を示す表示に変化し、この表示は受信完了直前まで維持される。そして、図１１（Ｄ）の表示で状態表示領域２１ｅは「送信完了」に変化する。
【０１８９】
その後、図１１（Ｅ）の表示、即ち元のモニタ画像ｐに切り換わる。これにより、操作者は、割込み受信処理が完了して元の撮影モードに復帰したことを知ることができる。
【０１９０】
なお、直前の動作モードが再生モードであった場合には、表示画面には割込み受信モードに切り換わる直前の再生画像が表示される。また、これまでの説明では、送信画像や受信画像の表示サイズを変化させて、送信経過や受信経過を示すようにしたが、経過を示す手段としては、これに限ることはなく、例えば画像のサイズではなく、画像の濃淡を変化させるような表示としてもよい。つまり、送信モードでは送信開始時には、画像表示を通常の表示（濃い画像）とし、次第に薄い画像となるように変化させるようにする。一方、受信モードでは受信開始時には、薄い画像とし、次第に濃い画像となるように表示を変化させるようにする。このように、送信又は受信時の画像表示の濃淡を変化させることで、使用者は、表示画面を見るだけで送信又は受信動作の経過を容易に知ることができる。
【０１９１】
次に、図１２，図１３は、本発明の一実施形態の画像装置による画像データ通信時の表示部の表示画面についての第２の変形例を示す図である。このうち図１２は送信側の画像装置の表示画面における表示変化を示し、図１３は、図１２に対応する受信側の画像装置の表示画面における表示変化を示している。
【０１９２】
この第２の変形例においても、上述の第１の変形例と同様に、送信側の画像装置を上記デジタルカメラ１Ｔとし、受信側の画像装置を上記デジタルカメラ１Ｒとする。したがって、本変形例の説明においても、画像装置（デジタルカメラ１）の構成とその通信形態（図１，図２参照）及び送信処理及び受信処理の処理シーケンス（図３，図４参照）は、上述の一実施形態に準じるものとし、上述の一実施形態と同じ構成部材については同じ符号を用い、また上述の一実施形態で用いた図面（図１〜図４）を参照しながら説明する。
【０１９３】
また、本変形例の表示例でも、送信側のデジタルカメラ１Ｔの送信条件として保存送信モードを設定し、受信側のデジタルカメラ１Ｒを割込み受信モードで動作させる場合を前提とする。
【０１９４】
上述の第１の変形例（図１０，図１１）では、送信画像と受信画像が縮小表示と拡大表示することで、各表示画面中において登場し退場する例を示した。これに対して、本変形例（図１２，図１３）では、送信画像と受信画像が回転しながら各表示画面中において登場し退場する例を示している。
【０１９５】
まず、送信側のデジタルカメラ１Ｔにおいて、画像データ送信処理の開始時点の送信表示画面２１ｔは、図１２（Ａ）の表示となる。この図１２（Ａ）の表示では、表示画面全体を用いて送信画像ｔが表示されている。状態表示領域２１ｅには「送信開始」を示す表示がなされている。
【０１９６】
ここから送信処理が進行すると、この図１２（Ａ）の表示から図１２（Ｂ），図１２（Ｃ），図１２（Ｄ）の表示を経て図１２（Ｅ）の表示に変化する。この場合において、図１２（Ａ）の表示から図１２（Ｂ），図１２（Ｃ），図１２（Ｄ）の表示までの間で、送信画像ｔ１は、表示画面の右下隅を回転中心として図において時計方向に徐々に回転しながら移動し表示画面２１ｔから退場するようにアニメーション的に表示される。これと共に、表示画面２１ｔ内において送信画像ｔ１の表示領域以外の表示領域（画像ｔ１が退場した領域）には、送信画像ｔ１と同一の画像ｔ２が画面全体を用いた形態で送信画像ｔ１によって隠されていた部分が徐々に露出されるように画像ｔ２が表示される。そして、送信処理が完了すると、図１２（Ｅ）の表示で送信画像ｔ１は完全に退場する一方、同一の画像ｔ２が表示画面全体を用いて表示される。この表示画像ｔ２の表示が残ることで、これに対応する画像データが送信側のデジタルカメラ１Ｔの記録媒体に残されることを示している。
【０１９７】
また、図１２（Ａ）の表示から図１２（Ｂ）へと変化する際に状態表示領域２１ｅの表示が「送信中」を示す表示に変化し、この表示は送信完了直前まで維持される。そして、図１２（Ｅ）の表示で「送信完了」に変化する。
【０１９８】
一方、受信側のデジタルカメラ１Ｒにおいては、撮影モードで動作しているときに割込み受信モードに切り換わると、表示画面２１ｒは図１３（Ａ）の表示となる。この図１３（Ａ）の表示では、表示画面全体を用いてモニタ画像ｐが表示されている。状態表示領域２１ｅには「受信開始」を示す表示がなされている。
【０１９９】
ここから割込み受信処理が進行すると、この図１３（Ａ）の表示から図１３（Ｂ），図１３（Ｃ），図１３（Ｄ）の表示を経て図１３（Ｅ）の表示に変化する。この場合において、図１３（Ａ）の表示から図１３（Ｂ），図１３（Ｃ），図１３（Ｄ）の表示までの間で、受信画像ｒは、表示画面の右下隅を回転中心として図において反時計方向に徐々に回転しながら移動して表示画面２１ｒ内に登場するようにアニメーション的に表示される。これと共に、表示画面２１ｒ内において送信画像ｒが登場するのに伴って表示される領域以外の表示領域のモニタ画像ｐが次第に受信画像ｒによって隠されるようになる。そして、受信処理が完了すると、図１３（Ｄ）の表示でモニタ画像ｐは画面全体に表示される受信画像ｒによって完全に隠された状態になる。この受信画像ｒのみの表示は所定の時間継続される。
【０２００】
また、図１３（Ａ）の表示から図１３（Ｂ）へと変化する際に状態表示領域２１ｅの表示が「受信中」を示す表示に変化し、図１３（Ｄ）の表示で「送信完了」に変化する。
【０２０１】
その後、図１３（Ｅ）の元のモニタ画像ｐに切り換わる。これにより、操作者は、割込み受信処理が完了して元の撮影モードに復帰したことを知ることができる。
【０２０２】
なお、直前の動作モードが再生モードであった場合には、表示画面には割込み受信モードに切り換わる直前の再生画像が表示される。
【０２０３】
以上説明したように上記第１の変形例（図１０，図１１）及び上記第２の変形例（図１２，図１３）の表示例では、上述の一実施形態における表示例に比べて、割込み通信モードの直前における表示画像（モニタ画像または再生画像）の視認性がより明確に表示されるので、操作者は、動作状態の確認や画像の確認等をより明確に識別できる。
【０２０４】
なお、上述した実施形態においては、説明を簡略化するために、送信側と受信側の画像装置として、同種のデジタルカメラ１Ｔ，１Ｒを用いた場合を例に挙げて示しているが、送信側と受信側の画像装置の組み合わせとしては、この例に限定されるものではない。
【０２０５】
例えば、送信側の画像装置をデジタルカメラ１Ｔとするのに対して、受信側の画像装置として、上述の受信側のデジタルカメラ１Ｒと同等のデータ受信機能を備えた印刷用プリンタまたは小型コンピュータ等であってもよい。
【０２０６】
また、デジタルカメラ自体に受信機能が具備されておらずとも、このデジタルカメラを小型コンピュータに接続したときに、同等の受信機能を具備する構成も考えられる。この場合においても、デジタルカメラと小型コンピュータを接続したユニットとして、これを受信側の画像装置として機能させることはできる。
【０２０７】
そして、受信側の画像装置として通信機能を備えたデジタルカメラとし、送信側の画像装置として、通信機能を備えた小型コンピュータ等を適用してもよく、送信側と受信側との各画像装置の組み合わせはさまざまに考えられる。
【０２０８】
ところで、上述の一実施形態では、送信側のデジタルカメラ１Ｔと受信側のデジタルカメラ１Ｒとのそれぞれの動作の流れを関連付けて説明しているものであるが、送信側のデジタルカメラ１Ｔの構成及び動作（図１，図３，図５，図６参照）を単独で取り出した送信側画像装置としての発明と、受信側のデジタルカメラ１Ｒの構成及び動作（図１，図４，図７，図８参照）を単独で取り出した受信側画像装置としての発明とは、それぞれが独立して成立可能である。
【０２０９】
したがって、上述の一実施形態において例示される画像装置としてのデジタルカメラ１は、送信側の画像装置としての構成と受信側の画像装置としての構成との両機能を具備するものでもよいが、送信機能もしくは受信機能のいずれか一方のみを具備した画像装置としても、本発明は成立する。
【０２１０】
なお、上述の実施形態において説明したカメラ制御部１０の各処理に関してソフトウエアとして説明した一部または全てをハードウェアで構成するようにしてもよい。また、これとは逆に、表示制御部１９等のハードウエアとして説明した構成部材に関して、これらをソフトウェアで構成するようにしてもよい。その場合の具体的な構成は設計事項である。
【０２１１】
また、上述の実施形態においては、カメラ制御部１０による各制御処理は、ＲＯＭ１１に格納されたソフトウェアプログラムがカメラ制御部１０に供給され、供給されたプログラムに従って上記動作させることによって実現されるものである。
【０２１２】
したがって、上記ソフトウェアのプログラム自体がカメラ制御部１０の機能を実現することになり、そのプログラム自体もまた本発明を構成する。さらに、そのプログラムを格納する記録媒体も本発明を構成する。
【０２１３】
この場合において、記録媒体としては、フラッシュメモリ以外でも、ＣＤ−ＲＯＭ，ＤＶＤ等の光学記録媒体、ＭＤ等の光磁気記録媒体、テープ媒体や円板状の磁気記録媒体、ＩＣカード等の半導体メモリ等を用いることができる。
【０２１４】
また、上述の一実施形態においては、本発明の画像装置を有するデジタルカメラを例に挙げて説明しているが、これに限ることはなく、例えば、携帯電話のカメラ部に適用することも容易に可能である。
【０２１５】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。さらにまた、異なる実施形態にわたる構成要素を適宜組み合わせてもよい。
【図面の簡単な説明】
【０２１６】
【図１】本発明の一実施形態の画像装置を備えたデジタルカメラの内部構成の概略を示すブロック構成図。
【図２】図１のデジタルカメラ同士の間で画像データ通信をおこなう際の様子を示す概念図。
【図３】図１のデジタルカメラ同士で画像データ通信をおこなう際の動作の流れを示すフローチャートのうち送信側のデジタルカメラにおける送信処理のフローチャート。
【図４】図１のデジタルカメラ同士で画像データ通信をおこなう際の動作の流れを示すフローチャートのうち受信側のデジタルカメラにおける受信処理のフローチャート。
【図５】本発明の本実施形態のデジタルカメラによる画像データ通信中において送信側のデジタルカメラの表示画面の変化を時間順に並べた表示例を示す図であって、送信条件が「保存送信」モード時の表示例を示す図。
【図６】本発明の本実施形態のデジタルカメラによる画像データ通信中において送信側のデジタルカメラの表示画面の変化を時間順に並べた表示例を示す図であって、送信条件が「非保存送信」モード時の表示例を示す図。
【図７】本発明の本実施形態のデジタルカメラによる画像データ通信中において受信側のデジタルカメラの表示画面の変化の表示例を示す図であって、通常受信時の表示例を示す図。
【図８】本発明の本実施形態のデジタルカメラによる画像データ通信中において受信側のデジタルカメラの表示画面の変化の表示例を示す図であって、割込受信時の表示例を示している。
【図９】本発明の一実施形態の画像装置を用いておこなわれる画像データ通信処理の実行中における表示部の表示変化の別の表示例であって、送信側の画像装置（デジタルカメラ）において送信条件を保存送信モードとしたときの送信処理時の表示変化を示す図。
【図１０】本発明の一実施形態の画像装置による画像データ通信時の表示部の表示画面についての第１の変形例であって、送信側の画像装置の表示画面における表示変化を示す図。
【図１１】図１０に対応する受信側の画像装置の表示画面における表示変化を示す図。
【図１２】本発明の一実施形態の画像装置による画像データ通信時の表示部の表示画面についての第２の変形例を示し、送信側の画像装置の表示画面における表示変化を示す図。
【図１３】図１２に対応する受信側の画像装置の表示画面における表示変化を示す図。
【符号の説明】
【０２１７】
１……デジタルカメラ
１０……カメラ制御部
１１……ＲＯＭ
１２……操作ＳＷ部
１３……撮像部
１４……光学系制御部
１５……ＲＡＭ
１６……画像処理部
１７……記録再生部
１８……記録部
１９……表示制御部
２０……表示部
２１……通信部
２１ａ……送受光窓
２２……バスライン
【図１】
0004926986.tif 000002
【図２】
0004926986.tif 000003
【図３】
0004926986.tif 000004
【図４】
0004926986.tif 000005
【図５】
0004926986.tif 000006
【図６】
0004926986.tif 000007
【図７】
0004926986.tif 000008
【図８】
0004926986.tif 000009
【図９】
0004926986.tif 000010
【図１０】
0004926986.tif 000011
【図１１】
0004926986.tif 000012
【図１２】
0004926986.tif 000013
【図１３】
0004926986.tif 000014